(57)【特許請求の範囲】
【請求項１】
長方形形状の前板と、前記前板の横方向の一方の端縁にヒンジ手段にて揺動自在に支持されるとともにそれらがヒンジ手段にて揺動自在に支持される複数枚に分割された折畳み自在の第１の側板と、前記前板の横方向の他端縁にヒンジ手段にて揺動自在に支持されるとともにそれらがヒンジ手段にて揺動自在に支持される複数枚に分割された折畳み自在の第２の側板と、前記第１の側板及び前記第２の側板の最後部に位置する側板の端縁を揺動自在に支持する支持手段と、前記前板の上端縁と拡げられた第１の側板の上端縁と第２の側板の上端縁で構成される開口部を開閉するとともに前記第１の側板及び前記第２の側板が折畳まれた際に前記前板の前面を覆うように揺動自在に支持された蓋体と、前記前板の下端に取り付けられたキャスターとより構成されているごみ集積装置であり、前板と第１の側板とを揺動自在に連結するヒンジ手段又は第１の側板の２枚の側板の連結面を揺動自在に連結する複数個のヒンジ手段を外せるようにしたごみ集積装置であって、前記支持手段の下端にはアンカーボルト用の開口部が形成されたベースプレートを設け、前記支持手段の上端には前記蓋体よりも上方に突出するとともに手前側に湾曲して蓋体の倒れを防止する倒れ防止部を形成したことを特徴とするごみ集積装置。
【請求項２】
前記側板の最後部に位置する側板の端縁を揺動自在に支持する支持手段は、支柱であり、支柱で蓋体の倒れを防止したことを特徴とする請求項１記載のごみ集積装置。
【請求項３】
前記蓋体は、側板が折畳まれた際の前板の前面位置と対応する位置で揺動自在に支持されていることを特徴とする請求項１または２記載のごみ集積装置。
【発明の詳細な説明】
【技術分野】
【０００１】
本発明は、ごみ集積装置に関するものである。
【背景技術】
【０００２】
従来、住宅地や産業地域でのごみ集積所において、カラスなどの鳥類、犬や猫などの動物の侵入により生じるごみの散乱と、それによる環境汚染を防止するものとして、ごみ入り袋が集積された上にポリエチレンやナイロン製品によるネットを直接覆い被せるなどの対策が実施されている。他にごみ集積所にごみ箱を設置し、該箱内にごみ入り.袋を集積することが行われている。ごみ箱の一例として、複数の矩形鋼板の周縁部を互いに一体連結して箱状に形成したごみ箱本体と、該ごみ箱本体の開口部の引き戸、あるいは開閉式の蓋体とからなるものが用いられている。
【先行技術文献】
【特許文献】
【０００３】
【特許文献１】特開平９−４７２１４号公報
【特許文献２】特開平１０−３３８３０５号公報
【特許文献３】特開２００１−１９１０４号公報
【特許文献４】実開平６−５５３７５号公報
【発明の概要】
【発明が解決しようとする課題】
【０００４】
従来技術のように、集積されたごみ入り袋の上をネットで覆った場合、ネットの汚れや、ごみがネットからはみ出して散乱するなど、ごみ集積所が不衛生で美観を損なうことが多くみられた。ごみ回収後も常にネットが積まれた状態は、周囲の景観にそ
ぐわない。また従来のごみ箱は大型で嵩張りその専有面積が大きいため、使用時以外は通行の障害になっている。
【課題を解決するための手段】
【０００５】
請求項１の発明は、長方形形状の前板と、前記前板の横方向の一方の端縁にヒンジ手段にて揺動自在に支持されるとともにそれらがヒンジ手段にて揺動自在に支持される複数枚に分割された折畳み自在の第１の側板と、前記前板の横方向の他端縁にヒンジ手段にて揺動自在に支持されるとともにそれらがヒンジ手段にて揺動自在に支持される複数枚に分割された折畳み自在の第２の側板と、前記第１の側板及び前記第２の側板の最後部に位置する側板の端縁を揺動自在に支持する支持手段と、前記前板の上端縁と拡げられた第１の側板の上端縁と第２の側板の上端縁で構成される開口部を開閉するとともに前記第１の側板及び前記第２の側板が折畳まれた際に前記前板の前面を覆うように揺動自在に支持された蓋体と、前記前板の下端に取り付けられたキャスターとより構成されているごみ集積装置であり、前板と第１の側板とを揺動自在に連結するヒンジ手段又は第１の側板の２枚の側板の連結面を揺動自在に連結する複数個のヒンジ手段を外せるようにしたごみ集積装置であって、前記支持手段の下端にはアンカーボルト用の開口部が形成されたベースプレートを設け、前記支持手段の上端には前記蓋体よりも上方に突出するとともに手前側に湾曲して蓋体の倒れを防止する倒れ防止部を形成したことを特徴とする。
【０００６】
請求項２の発明は、前記側板の最後部に位置する側板の端縁を揺動自在に支持する支持手段は、支柱であり、支柱で蓋体の倒れを防止したことを特徴とする。
【０００７】
請求項３の発明は、前記蓋体は、側板が折畳まれた際の前板の前面位置と対応する位置で揺動自在に支持されていることを特徴とする。
【発明の効果】
【０００８】
請求項１の発明によれば、長方形形状の前板と、前記前板の横方向の一方の端縁にヒンジ手段にて揺動自在に支持されるとともにそれらがヒンジ手段にて揺動自在に支持される複数枚に分割された折畳み自在の第１の側板と、前記前板の横方向の他端縁にヒンジ手段にて揺動自在に支持されるとともにそれらがヒンジ手段にて揺動自在に支持される複数枚に分割された折畳み自在の第２の側板と、前記第１の側板４及び前記第２の側板の最後部に位置する側板の端縁を揺動自在に支持する支持手段と、前記前板の上端縁と拡げられた第１の側板の上端縁と第２の側板の上端縁で構成される開口部を開閉するとともに前記第１の側板及び前記第２の側板が折畳まれた際に前記前板の前面を覆うように揺動自在に支持された蓋体と、前記前板の下端に取り付けられたキャスターとより構成されているごみ集積装置であり、前板と第１の側板とを揺動自在に連結するヒンジ手段又は第１の側板の２枚の側板の連結面を揺動自在に連結する複数個のヒンジ手段を外せるようにしたごみ集積装置であって、前記支持手段の下端にはアンカーボルト用の開口部が形成されたベースプレートを設け、前記支持手段の上端には前記蓋体よりも上方に突出するとともに手前側に湾曲して蓋体の倒れを防止する倒れ防止部を形成したことを特徴とするものであるから、ごみがごみ集積装置からはみ出して散乱することは無く、不衛生で美観を損なうことが無いという効果があり、更に、使用時以外は側板を折り畳んでコンパクトにすることができるとともに、蓋体で側板及び前板が拡がるのを防止でき、通行の障害にならないという効果があり、更に、キャスターにより老人であっても手軽に操作をすることができるという効果がある。
【０００９】
請求項２の発明によれば、前記側板の最後部に位置する側板の端縁を揺動自在に支持する支持手段は、支柱であり、支柱で蓋体の倒れを防止したことを特徴とするものであるから、蓋体で壁が損傷することを防止できるという効果がある。
【００１０】
請求項３の発明によれば、前記蓋体は、側板が折畳まれた際の前板の前面位置と対応する位置で揺動自在に支持されていることを特徴とするものであるから、蓋体を下げるだけで側板及び前板が拡がるのを防止でき、側板及び前板が拡がるのを防止するための他の部品が不要であるという効果がある。
【図面の簡単な説明】
【００１１】
【図１】図１は本発明の実施例の蓋体で閉じた斜視図である。
【図２】図２は同上の実施例の蓋体で開けた斜視図である。
【図３】図３は同上の実施例を折り畳み、収納した状態の正面図である。
【図４】図４は同上の実施例の使用状態を説明する側面図である。
【図５】図５は同上の実施例の使用状態を説明する側面図である。
【図６】図６は同上の実施例の展開図である。
【図７】図７は蓋体開閉の軸受部の拡大図である。
【発明を実施するための形態】
【００１２】
（実施形態１）
実施形態１に係るごみ集積装置１は、長方形形状の前板２と、前記前板２の横方向の一方の端縁２ａに揺動自在にヒンジ手段にて支持されるとともにそれらがヒンジ手段３にて揺動自在に支持される複数枚に分割された折畳み自在の第１の側板４と、前記前板２の横方向の他端縁２ｂにヒンジ手段にて揺動自在に支持されるとともにそれらがヒンジ手段３にて揺動自在に支持される複数枚に分割された折畳み自在の第２の側板５と、前記第１の側板４及び前記第２の側板５の最後部に位置する側板の端縁４ａ、５ａを揺動自在に支持する支持手段６と、前記前板２の上端縁２ｂと拡げられた第１の側板４の上端縁４ｂと第２の側板５の上端縁５ｂで構成される開口部７を開閉するとともに前記１の側板４及び前記第２の側板５が折畳まれた際に前記前板２の前面を覆うように揺動自在に支持された蓋体８と、前記前板２の下端に回動自在に取り付けられた球体型自在キャスター９とより構成されている。
【００１３】
前板２は、長方形形状のパンチング鋼板１０と、パンチング鋼板１０の四周を保持する角パイプの矩形枠１１とで構成されており、ビスで固定されている。下端の矩形枠１１の両端にはキャスター９がボルトで固定されている。
【００１４】
第１の側板４は、長方形形状のパンチング鋼板１２と、パンチング鋼板１２の四周を保持する角パイプの矩形枠１３とで構成されており、ビスで固定されている。第１の側板４は、２枚の側板４の連結面を複数個のヒンジ手段３にて揺動自在に支持されるとともに、前板２の横方向の一方の端縁２ａに複数個のヒンジ手段３にて揺動自在に支持されている。第１の側板４は、前板２と同一の高さに形成されている。
【００１５】
第２の側板５は、長方形形状のパンチング鋼板１４と、パンチング鋼板１４の四周を保持する角パイプの矩形枠１５とで構成されており、ビスで固定されている。第２の側板５は、２枚の側板５の連結面を複数個のヒンジ手段３にて揺動自在に支持されるとともに、前板２の横方向の他方の端縁２ｂに複数個のヒンジ手段３にて揺動自在に支持されている。第２の側板５は、第１の側板４と同様、前板２と同一の高さに形成されている。
【００１６】
支持手段６は、支柱状に形成されており、下端にはベースプレート１６が溶接されている。ベースプレート１６にはアンカーボルト用の開口部が形成されており、地面に立設される。支持手段６には、蓋体８の倒れを防止する倒れ防止部１７が手前側に湾曲して形成されている。
【００１７】
一方の支持手段６ａには第１の側板４の最後部に位置する側板の端縁４ａが複数個のヒンジ手段３にて揺動自在に支持されるとともに、他方の支持手段６ｂには第２の側板５の最後部に位置する側板の端縁５ａが複数個のヒンジ手段３にて揺動自在に支持されている。
【００１８】
一方の支持手段６ａと他方の支持手段６ｂの間には長方形形状のパンチング鋼板１８と、パンチング鋼板１８の四周を保持する角パイプの矩形枠１９とで構成される後板２０が固定されている。
【００１９】
蓋体８は、長方形形状のパンチング鋼板２１と、パンチング鋼板２１の四周を保持する角パイプの矩形枠２２とで構成されており、ビスで固定されている。蓋体８は第１の側板４及び第２の側板５が折畳まれた際の前板２の前面位置と対応する位置で第１の蓋体８ａと第２の蓋体８ｂに分離されており、複数個のヒンジ手段３にて揺動自在に支持されている。
【００２０】
蓋体８の矩形枠２２の後端には軸受部２３が溶接により設けられており、軸受部２３に軸２４が挿入されるとともに、後板２０の矩形枠１９の上端には軸支持板２５が溶接により設けられており、軸受部２３の両端において軸２４を支持しており、蓋体８が開閉できるようになっている。
【００２１】
装置全体を錆止塗装、ペンキ塗装をする。
設置するごみ集積所に、ベースプレート１６をアンカーボルトで固定する。
【００２２】
前板２と第１の側板４とを揺動自在に連結するヒンジ手段３又は第１の側板４の２枚の側板４の連結面を揺動自在に連結する複数個のヒンジ手段３を簡単に外せるようにすると、ごみ集積装置１内のごみを容易に搬出することが可能となる。
【００２３】
前板２等は、パンチング鋼板で構成したが、合成樹脂製のものでも構わないものであり、孔が開いていないものでも構わないものである。後板は必須ではなく必要に応じて使用すればよいものである。
【００２４】
本発明はカラスなど鳥類、犬や猫などの動物の侵入により生じる散乱を防止し、且つ容易にごみ入り袋を集積、回収することができる。使用時以外は後方へ収納し通行の妨げを回避し、周囲の景観を保持する。
【符号の説明】
【００２５】
１    ごみ集積装置
２    前板
３    ヒンジ手段
４    第１の側板
５    第２の側板
６    支持手段
７    開口部
８    蓋体
９    キャスター
【要約】      （修正有）【課題】本発明は、ごみ集積所の環境を保全し、通行を妨げないごみ集積装置を提供する。【解決手段】長方形形状の前板２と、前記前板２の横方向の一方の端縁にヒンジ手段３にて揺動自在に支持されるとともに揺動自在に支持される複数枚に分割された折畳み自在の第１の側板４と、前記前板２の横方向の他端縁にヒンジ手段３にて揺動自在に支持されるとともに揺動自在に支持される複数枚に分割された折畳み自在の第２の側板５と、前記第１の側板４及び前記第２の側板５の最後部に位置する側板の端縁を揺動自在に支持する支持手段６と、前記前板２の上端縁と拡げられた第１の側板４の上端縁と第２の側板５の上端縁で構成される開口部７を開閉するとともに前記１の側板４及び前記第２の側板５が折畳まれた際に前記前板２の前面を覆うように揺動自在に支持された蓋体８と、前記前板２の下端に取り付けられたキャスター９とより構成されている。【選択図】図１【図１】
0005339105.tif 000002
【図２】
0005339105.tif 000003
【図３】
0005339105.tif 000004
【図４】
0005339105.tif 000005
【図５】
0005339105.tif 000006
【図６】
0005339105.tif 000007
【図７】
0005339105.tif 000008